(57)【要約】【課題】従来、空気調和機の室外機の電子制御装置を覆う板金部品は、作業性を良くする為に、他の部品と接触を避け、隙間を設けて前記板金部品同士を組立てていたが、前記隙間のために耐サージ性能の向上が阻害されていた。また、従来は導通を取る部品を設けていたため、材料費向上、叉は部品点数・組立工数増という課題を有していた。【解決手段】複数の板金部品の相互の接触部位に、前記板金部品間の接触を確実にする接触部を設け、具体的には接触部をディンプル部で構成することにより、材料費の抑制、部品点数・組立工数削減を実現しつつ、耐サージ性能を向上することができる。【選択図】図３
2011075128.tif 000002
【特許請求の範囲】
【請求項１】
防火対策用の複数の板金部品を設けた電子制御装置を具備した空気調和機の室外機において、前記複数の板金部品の相互の接触部位に、前記板金部品間の接触を確実にする接触部を設けたことを特徴とする空気調和装置の室外機。
【請求項２】
前記接触部は、前記相互に接触した板金部品のうちの一方に他方の板金部品と接触するディンプル部を複数形成してなることを特徴とする請求項１に記載の空気調和装置の室外機。
【請求項３】
前記複数の板金部品の一方は前記他方の板金部品に設けられた固定部を介して固定され、前記ディンプル部は前記固定部の周囲近傍に複数設けられ、前記複数の板金部品を組み合わせて相互に接触させる際に前記ディンプル部を介して前記板金部品同士が接触することを特徴とする請求項１〜２のいずれかに記載の空気調和装置の室外機。
【請求項４】
前記ディンプル部の前記板金部品表面からの突出の高さは、前記複数の板金部品を組み合わせて相互に接触させる際、板金部品間の隙間より大なることを特徴とする請求項１〜３のいずれかに記載の空気調和装置の室外機。
【発明の詳細な説明】
【技術分野】
【０００１】
本発明は空気調和装置に使用する電子制御装置において電子制御装置を覆う防火対策用の板金部品同士の組合せをもちいて防火対策を行う構造を具備した空気調和装置の室外機に関するものである。
【背景技術】
【０００２】
従来、この種の空気調和機の室外機の電子部品のアース接続部位の構成として、ネジを用いた固定、バネを用いて接触をさせる、あるいはこれらの組合せを用いていた。
【先行技術文献】
【特許文献】
【０００３】
【特許文献１】特開平８−５６０８６号公報
【特許文献２】特開２００３−２３２１２５号公報
【発明の概要】
【発明が解決しようとする課題】
【０００４】
しかしながら、前記従来の構成では、部品同士の間に他の部品を配置して、締結部品を使用して相互の接触を行っており、部品点数の増加、組立の複雑化にて対応していたが、近年防火対策強化で樹脂部品を板金部品で樹脂全体を覆い隠す必要があり、さらなる板金部品の材料費増、部品点数・組立工数増という課題を有していた。
【０００５】
本発明は、前記載の従来課題を解決するもので、板金材料サイズを最小限で形成でき、部品点数・組立工数も削減させつつ、板金部品によるアース接続部位の金属部品同士の接触を確実にすることができる空気調和機の室外機を提供することを目的とする。
【課題を解決するための手段】
【０００６】
前記従来の課題を解決するために本発明の空気調和機の室外機は、防火対策用の複数の板金部品を設けた電子制御装置を具備した空気調和機の室外機において、前記複数の板金部品の相互の接触部位に、前記板金部品間の接触を確実にする接触部を設けたものである。
この構成をなすことにより、板金部品同士の接触を他の部品を使用することなく確実に確保でき部品点数・組立工数削減を可能としながら耐サージ性能を向上することができる。
【発明の効果】
【０００７】
本発明の空気調和機の室外機は、防火対策用の複数の板金部品を設けた電子制御装置を具備し、前記複数の板金部品の相互の接触部位に、前記板金部品間の接触を確実にする接触部を設けたもので、この構成をなすことにより、部品点数・組立工数削減を可能としながら耐サージ性能を向上することができる。
【図面の簡単な説明】
【０００８】
【図１】本発明の実施の形態における空気調和機の室外機外観図
【図２】本発明の実施の形態における電子制御装置の組付け状態を示す図
【図３】本発明の実施の形態における電子制御装置１０の構成の詳細を示す図
【図４】本発明の実施の形態における電子制御装置１０の構成を分解した図
【図５】本発明の実施の形態における板金部品５および６の接触部の細部構成を表す図
【発明を実施するための形態】
【０００９】
第１の発明は、防火対策用の複数の板金部品を設けた電子制御装置を具備した空気調和機の室外機において、前記複数の板金部品の相互の接触部位に、前記板金部品間の接触を確実にする接触部を設けたもので、この構成をなすことにより、板金部品同士の接触を他の部品を使用することなく確実に確保でき部品点数・組立工数削減を可能としながら耐サージ性能を向上することができる。
【００１０】
第２の発明は、特に第１の発明の接触部として、前記相互に接触した板金部品のうちの一方に他方の板金部品と接触するディンプル部を複数形成したもので、この構成をなすことにより、板金部品同士の接触を他の部品を使用することなく確実に確保でき部品点数・組立工数削減を可能としながら耐サージ性能を向上することができる。
【００１１】
第３の発明は、特に第１〜第２の発明の複数の板金部品の一方を前記他方の板金部品に設けられた固定部を介して固定し、前記ディンプル部を前記固定部の周囲近傍に複数設けたもので、この構成をなすことにより、接触部の接触がより確保でき部品点数・組立工数削減を可能としながら耐サージ性能を向上することができる。
【００１２】
第４の発明は、特に第１〜第３の発明のディンプル部の前記板金部品表面からの突出の高さを、前記複数の板金部品を組み合わせて相互に接触させる際、板金部品間の隙間より大なるように構成したもので、この構成をなすことにより、接触部の接触がより確保でき部品点数・組立工数削減を可能としながら耐サージ性能を向上することができる。
以下、本発明の実施の形態について、図面を参照しながら説明する。なお、この実施の形態によって本発明が限定されるものではない。
【００１３】
（実施の形態１）
図１は、本発明の形態における、空気調和機の外観を示す図である。また、図２は図１において、板金部品１（テンイタ１）および板金部品３（マエイタ３）を外して、電装部収納部分１００に相当する内部を露出し、電子制御装置１０の組付け状態を示した図である。
【００１４】
さらに図３は、電子制御装置１０の構成の詳細を示す図であり、図４は前記電子制御装置１０の構成を分解した図、図５は板金部品５（電源カバー５）および６（板金カバー６）の接触部の細部構成を表す図である。
図３〜４に示すように電子制御装置１０は樹脂部品８を主として構成され樹脂部品に各電装部品（図示せず）を配列して収納している。
【００１５】
そして、樹脂部品８の周囲を金属部品である板金部品５〜７で覆われており、この構成により耐サージ性能と万一、発火した際の延焼防止性能および耐水性能を持たせている。このような金属部品で覆われた電子制御装置１０を空気調和機本体に載置し、さらに板金部品１〜３および樹脂部品４（配管カバー４）で覆って室外機として構成している。
上記のように電子制御装置１０を覆う板金部品５〜７は相互に機械的に接触しており、図４に示すように、板金部品５と固定部６ａを介して相互に組合わされつつ電子制御装置１０を覆っている。
【００１６】
この際、図５に示すような構成で接触し、組合されている。
図４および図５に示すように、樹脂部品８（デンゲンバン８）にかぶせる板金部品５（板金デンゲンカバー５）に外側に張り出した板金部品６（板金カバー６）との隙間より大きいディンプル部５ａを２ヶ所、板金カバー６の固定部６ａの両側に設け、板金カバー６を樹脂デンゲンバン８にネジにて固定した時に、板金カバー６の固定部６ａと板金デンゲンカバー５のディンプル５ａが互いに十分に接触することになり、電子制御装置の組立て時に板金部品間の隙間を埋める別部品を新たに配置すること無く組立てが出来、且つ、板金
デンゲンカバー５の浮き防止をすることもでき、板金部品相互の接触を確実なものにすることができるので、部品点数・組立工数削減を可能としながら耐サージ性能を向上することができる。
【産業上の利用可能性】
【００１７】
以上のように、本発明にかかる空気調和機の室外機は、部品点数・組立工数削減を可能としながら耐サージ性能を向上することができるので、あらゆる電子機器に適用することができる。
【符号の説明】
【００１８】
１  板金部品（テンイタ１）
２  板金部品（右側板２  ）
３  板金部品（マエイタ３）
４  樹脂部品（配管カバー４）
５  板金部品（電源カバー５）
５ａ  板金部品デンゲンカバーディンプル部
６  板金部品（板金カバー６）
６ａ  板金部品板金カバー固定部
７  板金部品（板金カバー７）
８  樹脂部品（デンゲンバン８）
８ａ  樹脂部品デンゲンバンネジ締め部
９  締結部品（ネジ９）
１０  電子制御装置
１００  電装部収納部分
【図１】
2011075128.tif 000003
【図２】
2011075128.tif 000004
【図３】
2011075128.tif 000005
【図４】
2011075128.tif 000006
【図５】
2011075128.tif 000007